(57)【要約】【課題】この発明は、システム運転中における燃料電池の下限電圧や上限電圧を、電位変動に伴うカーボン担体の劣化の進行を考慮に入れて設定することを目的とする。【解決手段】カーボンが受ける電位変動の回数と、カーボンの劣化量との関係を示す劣化特性を、電位変動の下限値または／および上限値を相違させた複数の条件について取得する。取得された複数の劣化特性を用いて、これらの複数の劣化特性を複合させて得られる複合劣化特性を得る。複合劣化特性に従って、燃料電池の予定動作時間を複数の区間に区分し各区間に対して劣化特性取得ステップにおける条件で用いられた複数の電位の下限値または／および上限値を割り振ることにより、燃料電池の動作時間に応じた燃料電池の下限電圧の設定値のマップまたは／および上限電圧の設定値のマップを作成する。【選択図】図５
2010021072.tif 000002
【特許請求の範囲】
【請求項１】
燃料電池の担体に用いるカーボンと同一または同種のカーボンを対象のカーボンにして、該対象のカーボンが受ける電位変動の回数と該対象のカーボンの劣化量との関係を示す劣化特性を、電位変動の下限値を相違させた複数の条件について取得する劣化特性取得ステップと、
前記劣化特性取得ステップにおいて前記複数の条件について取得された複数の劣化特性を用いて、該複数の劣化特性を複合させて得られる複合劣化特性を作成する複合劣化特性作成ステップと、
前記複合劣化特性に従って、前記燃料電池の予定動作時間を複数の区間に区分し各区間に対して前記劣化特性取得ステップにおける条件で用いられた複数の電位の下限値を割り振ることにより、前記燃料電池の動作時間に応じた該燃料電池の下限電圧の設定値の情報である設定値情報を作成する設定値情報作成ステップと、
を有することを特徴とする燃料電池の下限電圧設定方法。
【請求項２】
前記劣化特性取得ステップが取得する前記劣化特性が、前記対象のカーボンが受ける電位変動の回数と、該対象のカーボンの酸化量との関係を示す酸化特性であることを特徴とする請求項１に記載の燃料電池の下限電圧設定方法。
【請求項３】
請求項１または２に記載の燃料電池の下限電圧設定方法に従って決定された、燃料電池の下限電圧の設定値情報を記憶する設定値記憶手段と、
カソードに酸素を含むガスの供給を受けて発電し、かつ、該カソードの触媒の担体が、前記設定値記憶手段が記憶する前記設定値情報の作成のための前記劣化特性取得ステップにおいて燃料電池の担体に用いることを前提とされたカーボンである燃料電池と、
少なくとも一部の運転領域において、前記設定値記憶手段が記憶した前記設定値情報に規定された下限電圧を下回らないように前記燃料電池の電圧を制御する電圧制御手段と、
を備えることを特徴とする燃料電池システム。
【請求項４】
請求項３に記載の燃料電池システムにおいて、
所定のタイミングで、前記燃料電池のカソードの担体のカーボンの劣化状態を検知する劣化状態検知手段と、
前記劣化状態検知手段が検知を行うタイミングまでに前記カソードの担体のカーボンが受けた電位変動の総回数を、直接的または間接的に検知する電位変動回数検知手段と、
前記劣化状態検知手段が検知した劣化状態の情報と前記電位変動回数検知手段が検知した電位変動の総回数とに基づいて、前記カソードの担体のカーボンが受ける電位変動の回数と該カーボンの劣化量との将来の傾向を示す予想劣化特性を作成する劣化特性作成手段と、
前記予想劣化特性に従って、前記設定値記憶手段が記憶する設定値情報を補正する設定値補正手段と、
を備えることを特徴とする燃料電池システム。
【請求項５】
前記燃料電池のカソードに空気を供給する空気供給機構と、
前記燃料電池システムの運転中に、前記燃料電池スタックの発電を実質的に停止させ或いは該燃料電池スタックを所定の低出力域で発電させ、かつ、前記空気供給機構による空気供給を間欠的に行う運転状態である、間欠運転を行う間欠運転手段と、
を備え、
前記電圧制御手段が、前記間欠運転が行われている期間に、前記設定値記憶手段が記憶した前記設定値情報に規定された下限電圧を下回らないように前記燃料電池の電圧を制御することを特徴とする請求項３または４に記載の燃料電池システム。
【請求項６】
カソードの触媒の担体にカーボンが用いられており、該カソードに酸素を含むガスの供給を受けて発電する燃料電池と、
所定のタイミングで、前記燃料電池のカソードの担体のカーボンの劣化状態を検知する劣化状態検知手段と、
前記劣化状態検知手段が検知を行うタイミングまでに前記カソードの担体のカーボンが受けた電位変動の総回数を、直接的または間接的に検知する電位変動回数検知手段と、
前記劣化状態検知手段が検知した劣化状態の情報と前記電位変動回数検知手段が検知した電位変動の総回数とに基づいて、前記カソードの担体のカーボンが受ける電位変動の回数と該カーボンの劣化量との将来の関係を示す予想劣化特性を作成する劣化特性作成手段と、
前記予想劣化特性に基づいて前記燃料電池の下限電圧値または／および上限電圧値を設定する電圧制御値設定手段と、
少なくとも一部の運転領域において、前記電圧制御値設定手段により設定された下限電圧値または／および上限電圧値に基づいて前記燃料電池の電圧を制御する電圧制御手段と、
を備えることを特徴とする燃料電池システム。
【請求項７】
請求項４または６に記載の燃料電池システムにおいて、
カーボンの酸化反応に伴う二酸化炭素発生量と、カーボンの酸化反応に伴う発熱量と、カーボンの酸化反応に伴う電流変化量とのうち、少なくとも１つに基づいて、カーボンの劣化状態を検知することを特徴とする燃料電池システム。
【請求項８】
燃料電池の担体に用いるカーボンと同一または同種のカーボンを対象のカーボンにして、該対象のカーボンが受ける電位変動の回数と該対象のカーボンの劣化量との関係を示す劣化特性を、電位変動の上限値を相違させた複数の条件について取得する劣化特性取得ステップと、
前記劣化特性取得ステップにおいて前記複数の条件について取得された複数の劣化特性を用いて、該複数の劣化特性を複合させて得られる複合劣化特性を作成する複合劣化特性作成ステップと、
前記複合劣化特性に従って、前記燃料電池の予定動作時間を複数の区間に区分し各区間に対して前記劣化特性取得ステップにおける条件で用いられた複数の電位の上限値を割り振ることにより、前記燃料電池の動作時間に応じた該燃料電池の上限電圧の設定値の情報である設定値情報を作成する設定値情報作成ステップと、
を有することを特徴とする燃料電池の上限電圧設定方法。
【請求項９】
請求項８に記載の燃料電池の上限電圧設定方法に従って決定された、燃料電池の上限電圧の設定値情報を記憶する設定値記憶手段と、
カソードに酸素を含むガスの供給を受けて発電し、かつ、該カソードの触媒の担体が、前記設定値記憶手段が記憶する前記設定値情報の作成のための前記劣化特性取得ステップにおいて燃料電池の担体に用いることを前提とされたカーボンである燃料電池と、
少なくとも一部の運転領域において、前記設定値記憶手段が記憶した前記設定値情報に規定された上限電圧を上回らないように前記燃料電池の電圧を制御する電圧制御手段と、
を備えることを特徴とする燃料電池システム。
【発明の詳細な説明】
【技術分野】
【０００１】
この発明は、燃料電池の下限電圧設定方法、燃料電池の上限電圧設定方法および燃料電池システムに関する。
【背景技術】
【０００２】
従来、特許文献１に開示されているように、担体にカーボンを用いる燃料電池における当該カーボン担体の劣化への対策技術が提案されている。燃料電池の担体のカーボンは、燃料電池内部における反応ガスの部分的欠乏などにより、劣化する。特許文献１では、このような反応ガスの部分的な欠乏への対策を提案している。
【０００３】
【特許文献１】特開平４−３１９２６３号公報
【特許文献２】特開２００７−３０５４０４号公報
【発明の開示】
【発明が解決しようとする課題】
【０００４】
燃料電池システムは、通常発電、間欠運転などの非通常発電、起動および停止といった様々な状態に置かれる。このため、カソードの電極触媒層の電位は常に一定ではなく、ある程度変動せざるを得ない。
【０００５】
燃料電池における触媒層の担体にカーボンが用いられている場合、カーボンは電位の変動を受けることにより劣化する。カーボンの電位変動が繰り返し発生すると、これに応じて、少しずつ、カーボンの劣化が進行していく。システムの使用時間が経過すればするほど、燃料電池のカーボンの劣化が進んでいく。従来、このような電位変動に伴うカーボン劣化を考慮した上で燃料電池システムをどのように運転すべきかという指針が、確立されていなかった。
【０００６】
この発明は、上記のような課題を解決するためになされたもので、システム運転中における燃料電池の下限電圧を、電位変動に伴うカーボン担体の劣化の進行を考慮に入れて設定することができる燃料電池の下限電圧設定方法を提供することを目的とする。
【０００７】
また、この発明は、上記のような課題を解決するためになされたもので、システム運転中における燃料電池の上限電圧を、電位変動に伴うカーボン担体の劣化の進行を考慮に入れて設定することができる燃料電池の上限電圧設定方法を提供することを目的とする。
【０００８】
また、この発明の他の目的は、システム運転中における燃料電池の電圧の制御内容を、カーボン担体の劣化の進行を考慮に入れて設定することができる燃料電池システムを提供することである。
【課題を解決するための手段】
【０００９】
第１の発明は、上記の目的を達成するため、燃料電池の下限電圧設定方法であって、
燃料電池の担体に用いるカーボンと同一または同種のカーボンを対象のカーボンにして、該対象のカーボンが受ける電位変動の回数と該対象のカーボンの劣化量との関係を示す劣化特性を、電位変動の下限値を相違させた複数の条件について取得する劣化特性取得ステップと、
前記劣化特性取得ステップにおいて前記複数の条件について取得された複数の劣化特性を用いて、該複数の劣化特性を複合させて得られる複合劣化特性を作成する複合劣化特性作成ステップと、
前記複合劣化特性に従って、前記燃料電池の予定動作時間を複数の区間に区分し各区間に対して前記劣化特性取得ステップにおける条件で用いられた複数の電位の下限値を割り振ることにより、前記燃料電池の動作時間に応じた該燃料電池の下限電圧の設定値の情報である設定値情報を作成する設定値情報作成ステップと、
を有することを特徴とする。
【００１０】
また、第２の発明は、第１の発明において、
前記劣化特性取得ステップが取得する前記劣化特性が、前記対象のカーボンが受ける電位変動の回数と、該対象のカーボンの酸化量との関係を示す酸化特性であることを特徴とする。
【００１１】
また、第３の発明は、燃料電池システムであって、
第１または第２の発明にかかる燃料電池の下限電圧設定方法に従って決定された、燃料電池の下限電圧の設定値情報を記憶する設定値記憶手段と、
カソードに酸素を含むガスの供給を受けて発電し、かつ、該カソードの触媒の担体が、前記設定値記憶手段が記憶する前記設定値情報の作成のための前記劣化特性取得ステップにおいて燃料電池の担体に用いることを前提とされたカーボンである燃料電池と、
少なくとも一部の運転領域において、前記設定値記憶手段が記憶した前記設定値情報に規定された下限電圧を下回らないように前記燃料電池の電圧を制御する電圧制御手段と、
を備えることを特徴とする。
【００１２】
また、第４の発明は、第３の発明において、
所定のタイミングで、前記燃料電池のカソードの担体のカーボンの劣化状態を検知する劣化状態検知手段と、
前記劣化状態検知手段が検知を行うタイミングまでに前記カソードの担体のカーボンが受けた電位変動の総回数を、直接的または間接的に検知する電位変動回数検知手段と、
前記劣化状態検知手段が検知した劣化状態の情報と前記電位変動回数検知手段が検知した電位変動の総回数とに基づいて、前記カソードの担体のカーボンが受ける電位変動の回数と該カーボンの劣化量との将来の傾向を示す予想劣化特性を作成する劣化特性作成手段と、
前記予想劣化特性に従って、前記設定値記憶手段が記憶する設定値情報を補正する設定値補正手段と、
を備えることを特徴とする。
【００１３】
また、第５の発明は、第３または第４の発明において、
前記燃料電池のカソードに空気を供給する空気供給機構と、
前記燃料電池システムの運転中に、前記燃料電池スタックの発電を実質的に停止させ或いは該燃料電池スタックを所定の低出力域で発電させ、かつ、前記空気供給機構による空気供給を間欠的に行う運転状態である、間欠運転を行う間欠運転手段と、
を備え、
前記電圧制御手段が、前記間欠運転が行われている期間に、前記設定値記憶手段が記憶した前記設定値情報に規定された下限電圧を下回らないように前記燃料電池の電圧を制御することを特徴とする。
【００１４】
また、第６の発明は、燃料電池システムであって、
カソードの触媒の担体にカーボンが用いられており、該カソードに酸素を含むガスの供給を受けて発電する燃料電池と、
所定のタイミングで、前記燃料電池のカソードの担体のカーボンの劣化状態を検知する劣化状態検知手段と、
前記劣化状態検知手段が検知を行うタイミングまでに前記カソードの担体のカーボンが受けた電位変動の総回数を、直接的または間接的に検知する電位変動回数検知手段と、
前記劣化状態検知手段が検知した劣化状態の情報と前記電位変動回数検知手段が検知した電位変動の総回数とに基づいて、前記カソードの担体のカーボンが受ける電位変動の回数と該カーボンの劣化量との将来の関係を示す予想劣化特性を作成する劣化特性作成手段と、
前記予想劣化特性に基づいて前記燃料電池の下限電圧値または／および上限電圧値を設定する電圧制御値設定手段と、
少なくとも一部の運転領域において、前記電圧制御値設定手段により設定された下限電圧値または／および上限電圧値に基づいて前記燃料電池の電圧を制御する電圧制御手段と、
を備えることを特徴とする。
【００１５】
また、第７の発明は、第４または第６の発明において、
カーボンの酸化反応に伴う二酸化炭素発生量と、カーボンの酸化反応に伴う発熱量と、カーボンの酸化反応に伴う電流変化量とのうち、少なくとも１つに基づいて、カーボンの劣化状態を検知することを特徴とする。
【００１６】
また、第８の発明は、燃料電池の上限電圧設定方法であって、
燃料電池の担体に用いるカーボンと同一または同種のカーボンを対象のカーボンにして、該対象のカーボンが受ける電位変動の回数と該対象のカーボンの劣化量との関係を示す劣化特性を、電位変動の上限値を相違させた複数の条件について取得する劣化特性取得ステップと、
前記劣化特性取得ステップにおいて前記複数の条件について取得された複数の劣化特性を用いて、該複数の劣化特性を複合させて得られる複合劣化特性を作成する複合劣化特性作成ステップと、
前記複合劣化特性に従って、前記燃料電池の予定動作時間を複数の区間に区分し各区間に対して前記劣化特性取得ステップにおける条件で用いられた複数の電位の上限値を割り振ることにより、前記燃料電池の動作時間に応じた該燃料電池の上限電圧の設定値の情報である設定値情報を作成する設定値情報作成ステップと、
を有することを特徴とする。
【００１７】
第９の発明は、燃料電池システムであって、
第８の発明にかかる燃料電池の上限電圧設定方法に従って決定された、燃料電池の上限電圧の設定値情報を記憶する設定値記憶手段と、
カソードに酸素を含むガスの供給を受けて発電し、かつ、該カソードの触媒の担体が、前記設定値記憶手段が記憶する前記設定値情報の作成のための前記劣化特性取得ステップにおいて燃料電池の担体に用いることを前提とされたカーボンである燃料電池と、
少なくとも一部の運転領域において、前記設定値記憶手段が記憶した前記設定値情報に規定された上限電圧を上回らないように前記燃料電池の電圧を制御する電圧制御手段と、
を備えることを特徴とする。
【発明の効果】
【００１８】
第１の発明によれば、カーボンの劣化の進行が複合劣化特性に従って進むような、燃料電池の下限電圧設定値情報を作成することができる。すなわち、カーボンの劣化の進み具合は、カーボンに付与される電位変動の挙動に応じて変化する。電位変動幅の上限の電位が同等である状況下では、電位変動幅の下限の電位（以下、単に「下限電位」とも称す）が低いほどカーボンの劣化が進みやすい。第１の発明によれば、このような下限電位の相違によるカーボンの劣化の進行度の違いを考慮して、燃料電池の下限電圧を設定することができる。つまり、先ず、劣化特性取得ステップで得られた複数の劣化特性を所望の特性を示すように複合させて、複合劣化特性を作成することができる。そして、設定値情報作成ステップにより、複合劣化特性に従ってカーボンの劣化の進行が進むような、燃料電池の下限電圧の設定値の情報を作成することができる。
【００１９】
第２の発明によれば、カーボンの酸化特性を、カーボンの劣化特性として取り扱うことができる。
【００２０】
第３の発明によれば、下限電圧の設定値情報に規定された下限電圧を下回らないように、燃料電池の発電状態を制御することができる。下限電圧の設定値情報に従って制御が行われている期間は、複合劣化特性の作成段階で予め予定されたカーボン担体の劣化進行速度と、同じ、或いはそれよりも遅い速度で、担体のカーボンの劣化を進めることができる。
【００２１】
第４の発明によれば、カーボンの現実の劣化状態と、予想した初期の劣化特性との間のずれがあった場合に、下限電圧の設定値情報を補正することができる。
【００２２】
第５の発明によれば、間欠運転時に、下限電圧の設定値情報を活用することができる。これにより、間欠運転時に、燃費向上効果と、担体のカーボンの劣化との両方を考慮して、燃料電池システムを運転することができる。
【００２３】
第６の発明によれば、燃料電池システムの運転時間の経過に伴って、カーボンの劣化状態の将来の状態を示す予想劣化特性を作成することができる。この予想劣化特性に従うことにより、劣化状態の将来の情報に基づいて燃料電池の下限電圧または／および上限電圧を設定することができる。
【００２４】
第７の発明によれば、担体のカーボンの劣化状態を、カーボンの酸化反応の結果生ずる二酸化炭素や、カーボン酸化反応に伴って変化する各種物理量に基づいて、高精度に検知することができる。
【００２５】
第８の発明によれば、カーボンの劣化の進行が複合劣化特性に従って進むような、燃料電池の上限電圧設定値情報を作成することができる。すなわち、カーボンの劣化の進み具合は、カーボンに付与される電位変動の挙動に応じて変化する。電位変動幅の下限の電位が同等である状況下では、電位変動幅の上限の電位（以下、単に「上限電位」とも称す）が高いほどカーボンの劣化が進みやすい。第８の発明によれば、このような上限電位の相違によるカーボンの劣化の進行度の違いを考慮して、燃料電池の上限電圧を設定することができる。つまり、先ず、劣化特性取得ステップで得られた複数の劣化特性を所望の特性を示すように複合させて、複合劣化特性を作成することができる。そして、設定値情報作成ステップにより、複合劣化特性に従ってカーボンの劣化の進行が進むような、燃料電池の上限電圧の設定値の情報を作成することができる。
【００２６】
第９の発明によれば、上限電圧の設定値情報に規定された上限電圧を上回らないように、燃料電池の発電状態を制御することができる。上限電圧の設定値情報に従って制御が行われている期間は、複合劣化特性の作成段階で予め予定されたカーボン担体の劣化進行速度と、同じ、或いはそれよりも遅い速度で、担体のカーボンの劣化を進めることができる。
【発明を実施するための最良の形態】
【００２７】
以下、本発明を実施するための最良の形態を説明する。以下の説明では、先ず、実施の形態１乃至３で、本発明にかかる燃料電池の下限電圧設定方法およびこれを利用した燃料電池システムの内容を説明する。その後、実施の形態４において、本発明にかかる燃料電池の上限電圧設定方法およびこれを利用した燃料電池システムの内容を説明する。
【００２８】
実施の形態１． 
［実施の形態１の構成］
図１は、本発明の実施の形態１の燃料電池システムの構成を説明するための図である。燃料電池システムは、燃料電池スタック１０によって発電してその電力をモータ等の負荷に供給するシステムである。燃料電池スタック１０は、複数の単位セルが積層されて構成されたものである。個々の単位セルは、内部に、膜電極接合体を備えている。膜電極接合体は、プロトン伝導性の固体高分子電解質膜の両面に、電極触媒層が設けられたものである。
【００２９】
膜電極接合体の一方の面がアノードとして、膜電極接合体の他方の面がカソードとして、それぞれ機能する。個々の単位セルは、アノードに水素を含む燃料ガスの供給を受け、カソードに酸素を含む酸化ガスの供給を受けて、水素と酸素の電気化学的反応により発電する。複数の単位セルを積層した燃料電池スタックの構成は既に公知であるため、ここではこれ以上の説明は省略する。
【００３０】
実施の形態１の膜電極接合体では、カソード側の電極触媒層の担体がカーボンである。実施の形態１で用いられるカーボンは、後述する下限電圧設定値マップの作成時にマップ作成の対象とされたカーボン（以下、「マップ作成対象カーボン」とも称す）と同一種類である。
【００３１】
実施の形態１の燃料電池システムは、燃料電池スタック１０に水素を供給するための構成として、水素タンク２０、管路２２、バルブ２４を備えている。水素タンク２０に貯留された高圧の水素ガスが、バルブ２４、管路２２を介して適宜に燃料電池スタック１０内の個々の単位セルに供給される。また、実施の形態１の燃料電池システムは、燃料電池スタック１０内のアノードオフガスを抜き出すための管路２６を備えている。
【００３２】
実施の形態１の燃料電池システムは、燃料電池スタック１０に空気を供給するための構成として、エアコンプレッサ３０、管路３２を備えている。エアコンプレッサ３０によって、空気が燃料電池スタック１０内の個々の単位セルに供給される。また、実施の形態１の燃料電池システムは、燃料電池スタック１０内のカソードオフガスを抜き出すための管路３６を備えている。
【００３３】
実施の形態１の燃料電池システムは、合成エア貯留用のタンク４０を備えている。タンク４０は、内部に、空気と同じ成分を含み、かつ、ＣＯ２を実質的に含まないガス（つまりＣＯ２フリーの合成エア）を貯留している。タンク４０は、管路３８に接続している。実施の形態１の燃料電池システムは、管路３２の途中にバルブ３４を備えている。このバルブ３４の切り替えによって、燃料電池スタック１０の個々の単位セルのカソードに供給するガスを、エアコンプレッサ３０が吐出する空気と、タンク４０内のガスとの間で、切り換えることができる。また、実施の形態１の燃料電池システムは、管路３６に、カソードオフガス中のＣＯ２量を分析できる分析計４２を備えている。分析計４２は、ＣＯ２濃度を高精度に検知可能な濃度センサの役割を果たす。
【００３４】
なお、図１には示さないが、実施の形態１の燃料電池システムは、燃料電池スタック１０の発電した電力を蓄えるバッテリを備えている。また、実施の形態１の燃料電池システムは、燃料電池スタック１０の個々の単位セルの電圧を計測するセル電圧モニタ４８を備えている。
【００３５】
実施の形態１の燃料電池システムは、制御部であるＣＰＵ５０を備えている。ＣＰＵ５０により、エアコンプレッサ３０、バルブ２４、バルブ３４が制御される。また、ＣＰＵ５０には、セル電圧モニタ４８の出力や、燃料電池システムに対する負荷要求値が入力される。ＣＰＵ５０は、入力された負荷要求値に従って、燃料電池スタック１０の発電量を制御する。
【００３６】
ＣＰＵ５０は、記憶装置５２と接続する。記憶装置５２は、後述する「下限電圧設定値マップ」を記憶している。ＣＰＵ５０は、システム運転中に、現在設定すべき下限電圧の値を下限電圧設定値マップから取得する。その上で、ＣＰＵ５０は、セル電圧モニタ４８により計測された個々の単位セルの電圧が、下限電圧設定値マップより求めた下限電圧を下回らないように、燃料電池スタック１０の発電状態を制御する。
【００３７】
以下の説明において、「下限電圧」とは、燃料電池システムの運転中における個々の単位セルの電圧の下限を意味する。下限電圧が例えば０．２Ｖに設定されている場合、実施の形態１の燃料電池システムでは、燃料電池スタック１０の単位セルの全てが０．２Ｖ以上の電圧を示すように（つまり、全ての単位セルが、０．２Ｖを下回らないように）、システムが運転される。
【００３８】
また、以下の説明では、便宜上、実施の形態の燃料電池システムを、車両に搭載されるシステムとして説明を進める。そして、現時点までの車両走行距離を把握可能なように、走行距離メータが設けられているものとする。
【００３９】
［実施の形態１の間欠運転］
実施の形態１の燃料電池システムは、現在の負荷要求値が燃料電池システムの補機の動力損失よりも低い場合には、間欠運転を行う。間欠運転とは、補機を停止させて燃料電池スタック１０の発電量を零或いは実質的に零にした状態で、バッテリ等の電力供給設備から必要な電力をまかなう運転モードである。これにより、燃費を向上することができる。ここでいう補機とは、燃料電池スタック１０の発電を行うために必要な機器を意味し、具体的にはエアコンプレッサ３０等を指す。昇圧コンバータ等を含んでシステムを構成した場合には、これも含む。
【００４０】
以下、図２を用いて、実施の形態１の間欠運転を説明する。図２（ａ）は、燃料電池システムへの要求負荷Ｐｒｅｑが時間の経過に応じて変化する様子を、模式的に示している。図２（ａ）のＰｒｅｑ−ｔｈは、要求負荷のしきい値である。Ｐｒｅｑ−ｔｈは、燃料電池システムの補機動力損失に基づいて定められる。要求負荷がＰｒｅｑ−ｔｈを下回った場合には、間欠運転が開始される。実施の形態１では、時刻ｔＡから、要求負荷が再びＰｒｅｑ−ｔｈ以上となる時刻ｔＢまでの期間、間欠運転が行われる。
【００４１】
図２（ｂ）は、燃料電池スタック１０内の単位セルの電圧が時間の経過に応じて変化する様子を、模式的に示している。実施の形態１における間欠運転中は、単位セルの電圧が開放端電圧（Open Circuit Voltage:OCV）付近に制御される。このような状態から、膜電極接合体を介したガスの透過（クロスリーク）に起因して、図２（ｂ）に示すように、単位セルの電圧が低下していく。図２（ｂ）には、下限電圧ＶＭＩＮが示されている。実施の形態１では、間欠運転中に、個々の単位セルの電圧がＶＭＩＮを下回らないように、定期的に補機の作動を再開して燃料電池スタック１０の電圧を上昇させる措置をとる。つまり、実施の形態１では、図２（ｂ）に示すように、時刻ｔＡから時間Ｔ１が経過したら、補機の作動が再開される。従って、間欠運転中、時間Ｔ１が経過するごとに、補機の作動が再開される。
【００４２】
図２（ｃ）は、燃料電池スタック１０の発電電力の大きさが時間の経過に応じて変化する様子を、模式的に示している。図２（ｃ）に示すように、間欠運転中には、燃料電池スタック１０の出力電力が、実質的に零程度の値をとるように小さくされる。この期間、燃料電池スタック１０の発電が実質的に停止され、燃費向上効果を享受できる。なお、燃費向上が見込めるような所定の低出力域を設定しておいて、間欠運転中に燃料電池スタック１０の出力電力をその低出力域内に制御してもよい。
【００４３】
［下限電圧、燃費およびカーボン劣化の関係］
図３は、実施の形態１における下限電圧と、燃料電池システムの燃費の関係を説明するための図である。
【００４４】
間欠運転中に単位セルの電圧が低下し始めてから下限電圧に至るまでの時間は、下限電圧が低めに設定されているほど長くなる。つまり、単位セルの電圧が下限電圧まで低下する回数は、同じ時間内では、下限電圧が低めに設定されているほど少なくなる。具体的には、図３に示すように、下限電圧の大きさがＶＭＩＮ１である場合と、下限電圧の大きさがＶＭＩＮ２（但し、ＶＭＩＮ２＞ＶＭＩＮ１）である場合とを比較してみる。そうすると、時刻ｔＡから時刻ｔＢまでの間に、相対的に高い電圧値である下限電圧ＶＭＩＮ２の場合には合計で４回、相対的に低い電圧値である下限電圧ＶＭＩＮ１の場合は合計で３回、単位セルの電圧上昇措置がとられることがわかる。
【００４５】
間欠運転中の電圧上昇措置の際には、エアコンプレッサ３０等のシステム補機を復帰させる。間欠運転中の電圧上昇措置の回数が多ければ多いほど、システム補機の停止、復帰を何度も繰り返すことになる。このため、燃費向上の観点からは、間欠運転中の電圧上昇措置をできるだけ少ない回数に抑える必要がある。従って、燃費向上の観点からは、下限電圧は、なるべく低めの電圧に設定しておきたい。
【００４６】
しかしながら、その一方で、次のような事項を考慮に入れることが望ましい。単位セル内の膜電極接合体には電極触媒層が設けられており、この電極触媒層内においてカーボンが担体として使用されている。カーボンは電位の変動を受けることにより劣化する。カーボンの電位変動が繰り返し発生すると、これに応じて、少しずつ、カーボンの劣化が進行していく。カーボンの劣化の進み具合は、カーボンに付与される電位変動の挙動に応じて変化する。電位変動幅の上限が同等である状況下では、電位変動幅の下限（以下、単に「下限電位」とも称す）が低いほどカーボンの劣化が早く進む。つまり、図３に示したＶＭＩＮ１とＶＭＩＮ２とでは、相対的に低い電位であるＶＭＩＮ１を下限電位とした電位変動を受ける場合のほうが、カーボンの劣化が進み易い。電位変動に伴うカーボン劣化を考慮に入れると、下限電圧を単純に低めに設定するのではなく、燃費向上とカーボン劣化とのバランスをとりながら下限電圧を設定することが望ましい。
【００４７】
［実施の形態１における下限電圧の設定手法］
そこで、本願発明者は、このような電位変動に伴うカーボン劣化を考慮に入れた、下限電圧の設定方法を見出した。以下、実施の形態１にかかる下限電圧の設定手法を説明する。実施の形態１で用いられる手法は、大きく分けて次の２つである。
・第１の手法は、燃料電池システムの設計段階で、電位変動に伴うカーボン劣化を考慮に入れた下限電圧設定値マップの作成を行うというものである。
・第２の手法は、上記第１の手法で設定した初期の下限電圧設定値マップで想定されているカーボン劣化状態と、システムの運転時間の経過に応じて生ずる現実のカーボン劣化状態との間の乖離を、下限電圧の設定値へと反映させるというものである。
なお、電位変動に伴うカーボンの劣化反応において、ＣＯ２が発生する。そこで、実施の形態１では、ＣＯ２発生量を指標にして、電位変動に伴うカーボンの劣化量を計測することにした。
【００４８】
以下、第１の手法と、第２の手法とを、個別に説明する。
【００４９】
＜第１の手法：初期の下限電圧設定値マップの作成＞
図４〜図８を用いて、実施の形態１にかかる、初期の下限電圧設定値マップの作成方法を説明する。概略を示すと、初期の下限電圧設定値マップの作成は、以下の（i）〜（iii）のステップにより行われる。
（i）先ず、図４に示すような、走行距離（電位変動回数）と担体劣化量との相関関係を示す曲線（以下、「劣化特性」とも称す）を、複数の下限電位（実施の形態１では、０．２Ｖ、０．４Ｖ、０．７５Ｖ）で計測する。
（ii）図４に示されている、下限電位の異なる複数の劣化特性を用いて、図５（ｂ）に示す複合劣化特性を作成する。
（iii）この複合劣化特性に従って、下限電圧設定値マップを作成する。
以下、個々のステップを詳細に説明する。
【００５０】
（i）劣化特性取得ステップ
このステップでは、異なる下限電位条件下で、カーボンの劣化特性を計測する。先ず、燃料電池スタック１０の担体に用いるカーボンと同じカーボンを準備する。このカーボンを以下、「マップ作成対象カーボン」と称す。カーボンにも様々な種類があり、個々のカーボンの劣化特性が同じ特性であるとは限らないので、実施の形態１では、現実に燃料電池スタック１０の担体に用いるカーボンと同じカーボンを、マップ作成対象カーボンとして準備する。これにより、下限電圧設定値マップの作成に、材料固有の劣化特性を活用することができる。このマップ作成対象カーボンを担体として用いて、サンプル用に、燃料電池スタック１０に用いられるのと同じ構造の膜電極接合体を作成する。
【００５１】
図６は、劣化特性の取得のための計測系を模式的に示す。サンプル６０は、上述した、マップ作成対象カーボンを担体として用いた膜電極接合体である。サンプル６０の各面には、電源６２の端子が接続されている。このサンプル６０の各面に水素ガスと窒素ガスとをそれぞれ流しつつ、電源６２によってサンプル６０に電圧を印加する。図６のサンプル６０の面に沿って流れた後の窒素ガスは、図示しないＣＯ２分析計に供給される。なお、ここでは、測定に使用する機器として電源６２のみを簡略に示したが、計測機器としていわゆるポテンショガルバノスタットを使用することができる。このような計測系を用いて、劣化特性を取得する。
【００５２】
図７は、サンプル６０に印加する電圧パターンを示す。実施の形態１では、サンプル６０のうち窒素が供給される側の電極触媒層の電位を、図７に示すような三角波形のパターンで変動させる。図７に示すように、時刻ｔＣ１から時刻ｔＣ２にかけてと、時刻ｔＣ２から時刻ｔＣ３にかけてと、時刻ｔＣ３から時刻ｔＣ４にかけて、それぞれ、１回ずつ、サンプル６０に三角波が印加される。三角波の周期は一定とし、燃料電池スタック１０の間欠運転時の周期Ｔ１（図２（ｂ）を参照）と同じ長さにする。図７では省略しているが、時刻ｔＣ４以降も同様に三角波が繰り返し印加される。
【００５３】
実施の形態１では、電位の変動幅の上限を開放端電圧ＯＣＶとする。また、電位の変動幅の下限の電圧値ＶＭＩＮ−ＣＯＮＴは変更可能にしておく。実施の形態１では、先ず、ＶＭＩＮ−ＣＯＮＴを０．２Ｖに設定して、図７の電圧パターンをサンプル６０に印加する。
【００５４】
図８は、サンプル６０の面内を流れた後ＣＯ２分析計内を流れていく窒素ガス中のＣＯ２量を、図示しないＣＯ２分析計の出力に基づいて記録した場合の内容を、模式的に示す。図８において斜線を付した領域７０は、時刻ｔＣ１から時刻ｔＣ２までにＣＯ２分析計が感知したＣＯ２量を積算したものである。つまり、領域７０は、丸数字の１の三角波の印加を受けて発生したＣＯ２量の総和に相当する。同様に、領域７２、７４は、それぞれ、図７の丸数字の２、３を付した三角波の各々の結果として発生した、ＣＯ２の総量に相当する。図８におけるＣＯ２発生量を積算していくと、電位変動回数の増加に応じた総ＣＯ２発生量を取得することができる。
【００５５】
実施の形態１では、ＣＯ２発生量を、カーボン劣化量としてみなす。この総ＣＯ２発生量と電位変動回数との関係をグラフに示すと、図４の下限電位０．２Ｖの曲線が得られる。この曲線を、下限電位０．２Ｖの条件での、カーボンの劣化特性として取り扱う。
【００５６】
なお、図４の横軸は、走行距離である。既述したように、実施の形態１では、便宜上、燃料電池システムを車両に搭載することを想定している。燃料電池システムが運転時間中にどの程度の頻度で間欠運転に入るかは、統計的に見積もることができる。また、燃料電池システムの寿命をある長さ（例えば１０年）に設定すれば、１０年相当の車両走行距離も概算できる。したがって、１０年相当の走行距離に至るまでに間欠運転が行われる回数を、計算により求めることができる。図４では、このような換算を行って走行距離を電位変動回数に代用した上で、劣化特性を図示している。
【００５７】
同様に、ＶＭＩＮ−ＣＯＮＴを０．４Ｖ、０．７５Ｖのそれぞれに設定して、三角波の印加およびＣＯ２発生量の分析を行う。これにより、下限電位０．２Ｖの曲線と同様に、図４に示すような、下限電位０．４Ｖの曲線と、下限電位０．７５Ｖの曲線とが、それぞれ得られる。これらの曲線を、それぞれ、下限電位０．４Ｖ、０．７５Ｖの条件での、カーボンの劣化特性として取り扱う。
【００５８】
なお、実施の形態１では、サンプル６０に三角波の電位変動を印加して、ＣＯ２量分析を行った。しかしながら、本発明はこれに限られるものではない。例えば、図２（ｂ）で述べた、間欠運転中の燃料電池スタック１０における単位セルの電圧変動を更に精度良く模擬した模擬波形を作成する。この模擬波形の電位変動を、三角波の電位変動に代えて、サンプル６０に印加しても良い。また、劣化特性取得のための電位変動の回数は、１０万ｋｍ相当の回数全てを行わなくとも良く、例えば３万ｋｍ相当の回数まで計測してそれ以降の特性を計算により求めても良い。
【００５９】
（ii）複合劣化特性作成ステップ
以下、図５（ａ）（ｂ）を用いて、実施の形態１における複合劣化特性の作成方法を説明する。ここで、実施の形態１では、限界劣化量と予定動作時間を、複合劣化特性の作成に利用するために予め決定しておく。ここでいう限界劣化量とは、燃料電池スタック１０内で担体として用いるカーボンの劣化量の上限である。また、ここでいう予定動作時間とは、燃料電池スタック１０の動作時間の予定の値（言い換えれば、燃料電池スタック１０の予定寿命）である。実施の形態１では、予定動作時間を、１０年とする。
【００６０】
実施の形態１では、予定動作期間である１０年が経過した段階で、燃料電池スタック１０内の担体のカーボンが限界劣化量相当になるように、複合劣化特性を作成する。図で説明すると、先ず、図５に示すように、横軸の１０年相当走行距離（実施の形態１では１０万ｋｍとする）の位置に縦線を引き、縦軸の限界劣化量の位置に横線を引く。図５においてこの縦線と横線の交点（図５中のＸｌｉｍ）を下回るような曲線を、下限電位０．２Ｖ、下限電位０．４Ｖ、下限電位０．７５Ｖの劣化特性を重ね合わせて作成する。
【００６１】
前述したように、間欠運転の燃費向上の観点からは、燃料電池スタック１０の下限電圧は低めに設定したい。しかしながら、その一方で、図４に示すように、電位変動時の下限電位が低いほど（つまり、０．２Ｖ、０．４Ｖ、０．７５Ｖの順に）、カーボンの劣化の進行ペースは速い。下限電圧を決定するには、これら２点を勘案することが好ましい。
【００６２】
そこで、実施の形態１では、次のような手順で下限電圧を決定する。先ず、実施の形態１では、システム運転開始当初は下限電圧を０．２Ｖに設定し、燃費向上効果を優先させる。その一方で、寿命が後半に入り走行距離が１０万ｋｍに至るまでの期間は、カーボンの劣化を緩やかに進行させるために下限電圧を０．７５Ｖに設定する。そして、下限電圧が０．２Ｖの期間と、下限電圧が０．７５Ｖの期間との間に、中間的な下限電圧の領域として下限電圧が０．４Ｖの期間を設ける。
【００６３】
次いで、上記の概略方針のもとで、電位変動に伴うカーボン担体の劣化の進行を考慮に入れるために、複合劣化特性を作成する。先ず、下限電位０．７５Ｖの劣化特性における走行距離１０万ｋｍのときの劣化量がちょうど交点Ｘｌｉｍの位置に来るように、下限電位０．７５Ｖの劣化特性を図４の状態から紙面上方へと移動させる。その結果、図５（ａ）に示すように、下限電位０．７５Ｖの劣化特性が交点Ｘｌｉｍを通るように、劣化特性が書きなおされる。更に、下限電位０．４Ｖの劣化特性を重ねる。実施の形態１では、走行距離１万ｋｍの位置で、下限電位０．２Ｖの劣化特性と下限電位０．４Ｖの劣化特性とを交差させる（交点Ｘ１）。これに応じて、下限電位０．４Ｖの劣化特性と下限電位０．７５Ｖの劣化特性とが、走行距離３万ｋｍの位置で交差する（交点Ｘ２）。
【００６４】
図５（ｂ）は、図５（ａ）で述べたように重ね合わせた複数の劣化特性を、交点Ｘ１、Ｘ２の位置で切断、結合して得られた複合劣化特性を示す。図５（ｂ）に示すように、下限電位０．２Ｖの劣化特性、下限電位０．４Ｖの劣化特性、および下限電位０.７５Ｖの劣化特性が連結し、１つの複合劣化特性を構成している。以上の手順により、複合劣化特性を得る。
【００６５】
（iii）下限電圧設定値マップ作成ステップ
次いで、図５（ｂ）の複合劣化特性に従って、下限電圧設定値マップを作成する。具体的には、図５（ｂ）に示すように、複合劣化特性の各区間の下限電位に従って、下記のように下限電圧設定値マップを作成する。
走行距離０〜１万ｋｍの区間  ＝  下限電圧０．２Ｖ区間
走行距離１万ｋｍ〜３万ｋｍの区間  ＝  下限電圧０．４Ｖ区間
走行距離３万ｋｍ〜１０万ｋｍの区間  ＝  下限電圧０．７５Ｖ区間
この、区間−下限電圧情報を、下限電圧設定値マップとして記憶装置５２に記憶する。
【００６６】
実施の形態１の燃料電池システムでは、上記の下限電圧設定値マップに従って、ＣＰＵ５０が、間欠運転時における下限電圧を、現在の走行距離に応じた値に設定する。
【００６７】
以上述べたように、実施の形態１の第１の手法によれば、所望の劣化特性を示すような複合劣化特性を作成することができる。この複合劣化特性は、劣化特性取得ステップで得られた複数の劣化特性を複合させることにより得られる特性である。更に、設定値マップ作成ステップにより、この複合劣化特性に従ってカーボンの劣化の進行が進むような下限電圧設定値マップを作成することができる。この下限電圧設定値マップに従って下限電圧を切り替えていくことにより、電位変動に伴うカーボン担体の劣化の進行を考慮に入れながら、燃料電池システムを運転することができる。
【００６８】
また、間欠運転時に、燃費向上効果と、担体のカーボンの劣化との両方を考慮して、燃料電池システムを運転することができる。
【００６９】
＜第２の手法：下限電圧設定値マップの補正＞
続いて、実施の形態１にかかる第２の手法を説明する。
【００７０】
現実の使用環境下においては、燃料電池システムは、様々な使われ方をする。具体例として車両搭載型の燃料電池システムを挙げると、個々のドライバの間で個人差があることに起因して、同じ燃料電池システムであっても運転のされ方が異なる。従って、燃料電池スタック１０内のカーボン担体の劣化の進行も、当初予定した標準的なペースと比べて、速くなったり遅くなったりする。これに対処すべく、実施の形態１では、これまで述べた第１の手法に加え、更に、以下述べる第２の手法も用いられる。この第２の手法によって、システム運転開始後に、定期的に下限電圧設定値マップが更新される。
【００７１】
図９は、実施の形態１にかかる下限電圧設定値マップの更新のフローチャートを示す。このフローチャートの内容は、以下のようなものである。
〔ステップＳ１００〜Ｓ１０６〕  実施の形態１が備えるＣＯ２分析機能を利用して、現在の走行距離における、１周期の電位変動あたりに発生するＣＯ２量が実測される。
〔ステップＳ１０８〕  実測データを用いて、図１０（ａ）に示す実測予想劣化特性が作成される。
〔ステップＳ１１０〕  実測予想劣化特性に従って、下限電圧設定値マップが補正される。
実施の形態１では、図９のフローチャートが、所定の間隔を置いて、繰り返し実行される。以下、個々のステップを詳細に説明する。
【００７２】
〔ステップＳ１００〜Ｓ１０６：劣化状態検知ステップ〕
このステップでは、燃料電池スタック１０内の担体のカーボンを対象にして、この対象の劣化状態を検知する処理が実行される。前述したように、電位変動に伴うカーボンの劣化反応において、ＣＯ２が発生する。そこで、実施の形態１の燃料電池システムは、ＣＯ２量に基づいた劣化状態検知を行う。そのための構成として、タンク４０および分析計４２が備えられている。また、実施の形態１では、劣化状態検知が、システム運転中に定期的に行われる。具体的には、実施の形態１では、２０００ｋｍ、４０００ｋｍ、６０００ｋｍのように、走行距離２０００ｋｍごとに、ＣＯ２量に基づく劣化状態検知ステップが実行される。
【００７３】
劣化状態検知ステップでは、先ずステップＳ１００が実行される。ステップＳ１００において、バルブ３４が切り換えられ、燃料電池スタック１０に対してタンク４０からＣＯ２フリーの合成エアが供給される。次いで、ステップＳ１０２が実行される。ステップＳ１０２では、ＣＰＵ５０が、燃料電池スタック１０の電圧が間欠運転中の電圧印加パターン（図２参照）と同じ変動を示すように、燃料電池スタック１０の動作点を制御する。もしくは、運転状態を強制的に間欠運転に切り換えて、一時的にバッテリから必要な電力を供給するなどしてもよい。また、電圧印加パターンは、図７に示した三角波にしてもよい。これらのいずれかの状態を実現することにより、燃料電池スタック１０の電圧を、間欠運転時と同じように変動させることができる。その結果、ＣＯ２フリーの合成エアが供給されかつ間欠運転時と同じ或いは同等の電圧変動が生じている環境が、実現される。
【００７４】
次いで、ステップＳ１０４が実行される。ステップＳ１０４では、分析計４２が、カソードオフガス中のＣＯ２量を分析する。このようにすることで、前述した第１の手法の（i）劣化特性取得ステップにおいてサンプル６０へ電圧を印加しながらＣＯ２量を分析した状況を、再現できる。電位変動に伴うカーボンの劣化量を測定することができる（ステップＳ１０６）。
【００７５】
〔ステップＳ１０８：実測予想劣化特性作成ステップ〕
このステップでは、劣化状態検知ステップで検知された劣化状態の情報と、走行距離とに基づいて、電位変動回数とカーボン劣化量との将来の関係を示す予想劣化特性（以下、「実測予想劣化特性」とも称す）が作成される。
【００７６】
実施の形態１では、具体的には、以下の(a)〜(g)の手順により、実測予想劣化特性が作成される。
（a）走行距離が２０００ｋｍの時点で、一度、劣化状態検知を行う。そうすると、走行距離２０００ｋｍ時点での、１周期の電位変動に対して発生したＣＯ２量が検知される。
（b）実施の形態１では、走行距離０〜２０００ｋｍの区間では、平均的に、１回の電位変動あたり、上記検知結果のＣＯ２量が発生したものとみなす。よって、上記検知結果のＣＯ２量に２０００ｋｍまでの電位変動の総回数を乗じることにより、２０００ｋｍの時点までに発生した総ＣＯ２量が算出できる。電位変動の総回数は、第１の手法の(i)劣化特性取得ステップにおいて述べたように、統計的な概算によって算出される。算出した総ＣＯ２量を、図１０に示すように、横軸の２０００ｋｍの位置に記録する。
（c）その後、走行距離が４０００ｋｍになるまで走行し、走行距離４０００ｋｍの時点で再び劣化状態検知を行う。４０００ｋｍ時点の１周期の電位変動あたりのＣＯ２量が算出される。
（d）その結果を、２０００ｋｍ〜４０００ｋｍ区間における、１周期の電位変動あたり平均のＣＯ２量とみなす。すなわち、２０００ｋｍ〜４０００ｋｍの区間では、平均的に、１回の電位変動に対して、このＣＯ２量が発生したものとみなす。これにより、２０００ｋｍ〜４０００ｋｍの区間で発生した総ＣＯ２量が算出される。
（e）２０００ｋｍ時点までに発生した総ＣＯ２量に、２０００ｋｍ〜４０００ｋｍの区間で発生した総ＣＯ２量を加算する。その結果、０〜４０００ｋｍ区間で発生した総ＣＯ２量が算出できる。算出した総ＣＯ２量を、図１０に示すように、横軸の４０００ｋｍの位置に記録する。
（f）その後、走行距離が６０００ｋｍになるまで走行し、走行距離６０００ｋｍの時点で３回目の劣化状態検知を行う。
（g）検知の結果得られた、６０００ｋｍ時点の１周期の電位変動あたりのＣＯ２量を、走行距離４０００ｋｍ〜６０００ｋｍ区間における、１周期の電位変動あたりのＣＯ２量とみなす。ここから、上記の（d）(e)と同様にして、０〜６０００ｋｍで発生した総ＣＯ２量を算出し、図１０に示すように６０００ｋｍ地点に記録する。
（h）６０００ｋｍ以降も、同様に２０００ｋｍ毎に劣化状態検知を行う。劣化状態検知を行うごとに、上記述べた手順に従って、０ｋｍから各走行距離の時点までに発生した総ＣＯ２量を算出し、図１０に示すように各走行距離に記録する。なお、劣化状態検知のタイミングは２０００ｋｍ毎で一定としても良いし、間隔を延ばしたり縮めたりしてもよい。
（i）上記の(a)〜（h）の手順を踏むことにより、走行距離の増大に伴って、図１０中に、白抜き丸で示す実測点が記録されていく。これらの実測点が何点か集まった時点で（たとえば、１万ｋｍ時点で）、それまでに得られた実測点に基づいて図１０（ａ）に示す実測予想劣化特性の曲線が計算により求められる。
（j）実施の形態１では、上記の手順が継続され、実測点が継続的に追加される。追加された実測点に基づいて、逐次的に、実測予想劣化特性の曲線が最新の状態に更新される。
【００７７】
以上述べたように、このステップでは、燃料電池システムの運転中にカーボンの劣化状態を検知して、この検知により得た実測データに基づく将来の予想劣化特性を作成することができる。
【００７８】
〔ステップＳ１１０：下限電圧設定値マップ補正ステップ〕
このステップでは、初期の下限電圧設定値マップで想定されているカーボン劣化状態と、システムの運転時間の経過に応じて生ずる現実のカーボン劣化状態との間の乖離具合に応じて、下限電圧設定値マップの内容を補正する処理が行われる。
【００７９】
実施の形態１では、走行距離１万ｋｍの時点で、それまでの実測点を用いて作成した実測予想劣化特性と、初期の劣化予想特性とが比較される。図１０（ａ）において、１万ｋｍまでの実測予想劣化特性と、初期の劣化予想特性とを比較すると、実測予想劣化特性のほうが、各走行距離における劣化量の値が少ない。つまり、図１０（ａ）のケースでは、燃料電池システムを実際に運転したところ、初期の予想に比べて劣化の進み具合が遅い。
【００８０】
図１０（ａ）の紙面上側には、初期の予想劣化特性に従った下限電圧設定値が記載されている。初期の予想劣化特性に従えば、走行距離が１万ｋｍを超える際に、下限電圧が、０．２Ｖから０．４Ｖへと切り換えられる筈である。
【００８１】
しかしながら、初期の予想に比べて劣化の進み具合が遅いので、カーボンの状態には余裕がある。前述したように、燃費向上の観点からは、下限電圧を低めにしておきたい。そこで、実施の形態１では、走行距離が３万ｋｍになるまで下限電圧が０．２Ｖ維持されるように、下限電圧設定値マップを書き換える。これにより、図１０（ｂ）に矢印１００で示すように、０．２Ｖ区間を、走行距離３万ｋｍまで拡大する。図１０（ｂ）の紙面上側に、このような下限電圧設定マップの補正後の下限電圧設定値が記載されている。なお、ここでは、便宜上、走行距離３万ｋｍ以降をすべて下限電圧０．４Ｖ区間に設定している。
【００８２】
以上述べたように、このステップでは、下限電圧設定値マップを、カーボンの現実の劣化状態に合わせて、更新することができる。
【００８３】
なお、下限電圧設定値マップの補正は、上記の実施の形態１の補正方法に限定されるものではなく、次のように行うことができる。カーボンの劣化の進行が予想よりも遅い場合には、現在の下限電圧が維持される。また、カーボンの劣化の進行が予想よりも速い場合には、下限電圧が相対的に高い期間への移行時期が早められる。これら２つのうち、両方を適用しても良いし、いずれか一方のみを行っても良い。
【００８４】
尚、上述した実施の形態１では、第１の手法における（i）劣化特性取得ステップが、前記第１の発明における「劣化特性取得ステップ」に、第１の手法における（ii）複合劣化特性作成ステップが、前記第１の発明における「複合劣化特性作成ステップ」に、第１の手法における（iii）下限電圧設定値マップ作成ステップが、前記第１の発明における「設定値情報作成ステップ」に、それぞれ相当している。そして、実施の形態１における下限電圧設定値マップが、前記第１の発明における「設定値情報」に、相当している。
【００８５】
また、上述した実施の形態１の燃料電池システムでは、記憶装置５２が、前記第３の発明における「設定値記憶手段」に、燃料電池スタック１０内の個々の単位セルが、前記第３の発明における「燃料電池」に、それぞれ相当している。また、ＣＰＵ５０により単位セルの電圧が下限電圧を下回らないように燃料電池スタック１０の発電状態が制御されることにより、前記第３の発明における「電圧制御手段」が実現されている。
【００８６】
また、上述した実施の形態１では、図９のフローチャートのステップＳ１００〜Ｓ１０６が実行されることにより、前記第６の発明における「劣化状態検知手段」が、図９のフローチャートのステップＳ１０８が実行されることにより、前記第６の発明における「劣化特性作成手段」が、図９のフローチャートのステップＳ１１０が実行されることにより、前記第６の発明における「設定値補正手段」が、それぞれ実現されている。また、実施の形態１では、車両の現時点までの走行距離が走行距離メータで検知されることにより、前記第６の発明における「電位変動回数検知手段」が実現されている。
【００８７】
また、実施の形態１では、ＣＰＵ５０が間欠運転を行うことにより、前記第５の発明における「間欠運転手段」が実現されている。
【００８８】
［実施の形態１の変形例］
（第１変形例）
実施の形態１では、下限電圧の設定方法として、第１の手法である初期の下限電圧設定値マップの作成と、第２の手法である下限電圧設定値マップの更新と、の両方が用いられている。しかしながら本発明はこれに限られるものではない。
【００８９】
第１の手法である初期の下限電圧設定値マップの作成のみを行っても良い。この場合には、下限電圧設定値マップの更新を行わないので、燃料電池システムがタンク４０や分析計４２を備えなくともよい。
【００９０】
（第２変形例）
実施の形態１の燃料電池システムは、下限電圧設定値マップの更新のための劣化状態検知ステップのために、タンク４０および分析計４２を備えている。しかしながら、本発明はこれに限られない。タンク４０の代わりに、中空糸フィルタを燃料電池システムに搭載しても良い。この中空糸フィルタを使って大気からＣＯ２をフィルタリングし、これにより得られたＣＯ２フリーの空気を、燃料電池スタック１０に供給してもよい。
【００９１】
また、タンク４０の代わりに、図６の測定系を模擬した構成を、燃料電池システムに搭載しても良い。つまり、窒素ガスを貯留した窒素タンクと、ポテンショガルバノスタットを燃料電池システムに搭載して、劣化状態検知ステップにおいて図６を用いて説明したのと同じ測定を行っても良い。
【００９２】
（第３変形例）
実施の形態１では、実施の形態１の燃料電池システムが車両に搭載されることが前提となっている。そして、担体のカーボンが受けた電位変動の回数と走行距離とが関連付けられ、走行距離に従って下限電圧の切り替えが行われている。しかしながら、本発明はこれに限られない。実施の形態１の燃料電池システムを、車両搭載以外の用途として用いても良い。この場合には、実施の形態１の燃料電池システムが実際に間欠運転を行った時間や、間欠運転時の１周期の電圧変動（図２（ｂ）の周期Ｔ１の電圧変動）が何回繰り返されたかを、カウントしてもよい。カウントした情報に基づいて担体のカーボンが受けた電位変動の回数を算出し、算出した回数に応じて下限電圧の切り替えを行ってもよい。
【００９３】
また、運転時間の計測や間欠運転中の電圧変動のカウントによる電位変動回数の算出は、燃料電池システムが車両に搭載されていても実行可能である。したがって、実施の形態１の燃料電池システムで、走行距離に代えて（または走行距離とともに）、運転時間の計測や電位変動回数のカウントにより、カーボンが受けた電位変動の回数を算出することができる。
【００９４】
（第４変形例）
実施の形態１では、下限電圧設定値マップに規定された下限電圧が、間欠運転時の下限電圧ＶＭＩＮとして利用される。しかしながら、本発明はこれに限られるものではない。間欠運転時以外の通常発電中にも、個々の単位セルの電圧が下限電圧設定値マップに規定された下限電圧を下回らないように、システムの運転を行っても良い。
【００９５】
（第５変形例）
実施の形態１では、カーボンに与える電位変動の下限電位が、０．２Ｖ、０．４Ｖ、０．７５Ｖの条件下で、それぞれ劣化特性が取得された。そして、これら３段階の下限電位の劣化特性を用いて、複合劣化特性が作成された。しかしながら、本発明はこれに限られるものではない。これらの下限電位の大きさは、適宜変更されてもよい。また、３段階ではなく、より多数の異なる下限電位について劣化特性を取得したり、あるいはより少ない２段階の下限電位について劣化特性を取得して、複合劣化特性を作成しても良い。例えば、０．２Ｖ〜０．７５Ｖまで０．０５Ｖ刻みで１本ずつ劣化特性を取得してもよい。その結果得られた多数の劣化特性を用いて、実施の形態１で述べたように複合劣化特性を作成しても良い。これにより、より細かく下限電圧を変化させるような下限電圧設定値マップが作成される。また、下限電圧の設定値の情報は、必ずしもマップとして記憶されていなくともよく、関数で表せる場合には関数として記憶してもよい。
【００９６】
なお、実施の形態１では、マップ作成対象カーボンが、燃料電池スタック１０内で担体として用いるカーボンと同一のものである。しかしながら、燃料電池スタック１０で担体として用いるカーボンと同様の劣化特性を示すものであれば、実際に燃料電池スタック１０に用いるカーボンと完全同一でない同種の他のカーボンを、マップ作成対象カーボンとして用いても良い。
【００９７】
実施の形態１では、個々の単位セルの電圧をセル電圧モニタ４８でモニタリングし、全ての単位セルが下限電圧を下回らないように燃料電池スタック１０の発電状態を制御した。しかしながら、次のような変形が可能である。燃料電池スタック１０の電圧は、単位セルの１個当たりの電圧と、単位セルの総積層枚数との積に相当する。従って、例えば単位セル１個当たりの下限電圧が０．２Ｖであり、かつ、単位セルの総積層枚数が２００枚である場合には、燃料電池スタック１０の下限電圧を０．２Ｖ×２００＝４０Ｖと設定することができる。これに応じて、燃料電池スタック１０の電圧が４０Ｖを下回らないように、システムを制御することもできる。このような下限電圧の制御方法も、本発明に含まれるものとする。
【００９８】
実施の形態２．
実施の形態１では、ＣＯ２発生量を指標にしてカーボンの劣化状態を検知している。これに対し、実施の形態２では、カーボンの劣化反応に伴って発生する熱を検知し、検知した熱量に基づいてカーボンの劣化状態を検知する。
【００９９】
［実施の形態２の構成］
図１１は、本発明の実施の形態２の燃料電池システムの構成図である。図１１の燃料電池システムは、タンク４０、バルブ３４、管路３８および分析計４２を備えておらず、その代わりに、温度計１４０を備えている。温度計１４０は、具体的には、燃料電池スタック１０の個々の単位セルのカソード電極触媒層近傍に、微細な熱電対を取り付けることにより構成されている。この点を除き、図１１の燃料電池システムは、図１に示した実施の形態１の燃料電池システムと同じである。従って、これ以上の説明は省略する。
【０１００】
前述したように、電位変動を受けるとカーボンは劣化する。この劣化反応に伴って、熱が発生する。劣化反応における、発熱量−カーボン劣化量の相関は、ＣＯ２発生量−カーボン劣化量の相関と同様である。そこで、実施の形態２では、次のようにしてカーボンの劣化状態を検知する。
【０１０１】
図１２は、実施の形態２の燃料電池システムで実行されるルーチンのフローチャートである。図１２は、ステップＳ２００、Ｓ２０４およびＳ２０６を除き、図１０のルーチンと同じである。
【０１０２】
先ず、エアガス量を絞る処理が実行される（ステップＳ２００）。次いで、図１０と同様にステップＳ１０２が実行され、燃料電池スタック１０の電圧が変化させられる。電圧が変化させられることにより、個々の単位セルの担体のカーボンが電位変動を受ける。この電位変動に伴って、カーボンに劣化反応が起こり、劣化反応に付随して熱が発生する。
【０１０３】
次いで、温度測定が行われる（ステップＳ２０４）。このステップでは、燃料電池スタック１０の温度上昇幅に基づいて、１周期の電位変動に対して発生した熱量が検知される。
【０１０４】
次に、検知した熱量を、ＣＯ２発生量に換算する処理が実行される（ステップＳ２０６）。前述したように、発熱量−カーボン劣化量との間には、ＣＯ２発生量−カーボン劣化量の相関と同様の相関がある。従って、これらの間の係数を予め実験等により決定しておくことにより、検知した熱量を、ＣＯ２発生量に換算することができる。
【０１０５】
その後、実施の形態１と同様に、ステップＳ１０８、Ｓ１１０の処理が実行される。以上の処理によれば、カーボンの劣化反応に伴う熱量を検知することにより、カーボンの劣化状態を検知することができる。検知した劣化状態に基づいて、実施の形態１と同様に、下限電圧設定値マップを更新することができる。
【０１０６】
実施の形態３．
実施の形態１では、ＣＯ２発生量を指標にしてカーボンの劣化状態を検知している。また、実施の形態２では、カーボンの劣化反応に伴う発熱量に基づいて、カーボンの劣化状態を検知している。これに対し、実施の形態３では、カーボンの酸化反応に伴う電流（酸化電流）を検知することにより、カーボンの劣化状態を検知する。
【０１０７】
［実施の形態３の構成］
図１３は、本発明の実施の形態３の燃料電池システムの構成図である。図１３の燃料電池システムは、タンク４０、バルブ３４、管路３８および分析計４２を備えておらず、その代わりに、電流センサ２４０を備えている。この点を除き、図１１の燃料電池システムは、図１に示した実施の形態１の燃料電池システムと同じである。従って、これ以上の説明は省略する。
【０１０８】
劣化反応における、酸化電流量−カーボン劣化量の相関は、ＣＯ２発生量−カーボン劣化量の相関と同様である。そこで、実施の形態３では、次のようにしてカーボンの劣化状態を検知する。
【０１０９】
図１４は、実施の形態３の燃料電池システムで実行されるルーチンのフローチャートである。図１４は、ステップＳ３０４およびＳ３０６を除き、図１２のルーチンと同じである。
【０１１０】
図１４のルーチンでは、図１２のルーチンと同様に、エアガス量を絞る処理（ステップＳ２００）、燃料電池スタック１０の電圧を変化させる処理（ステップＳ１０２）が実行される。次いで、電流測定が行われる（ステップＳ３０４）。このステップでは、電流センサ２４０により検知される電流の変化幅に基づいて、１周期の電位変動の結果生じた酸化電流の変化量が検知される。
【０１１１】
次に、検知した酸化電流の値を、ＣＯ２発生量に換算する処理が実行される（ステップＳ３０６）。前述したように、酸化電流量−カーボン劣化量との間には、ＣＯ２発生量−カーボン劣化量の相関と同様の相関がある。従って、これらの間の係数を予め実験等により決定しておくことにより、検知した酸化電流量を、ＣＯ２発生量に換算することができる。
【０１１２】
その後、実施の形態１と同様に、ステップＳ１０８、Ｓ１１０の処理が実行される。以上の処理によれば、カーボンの劣化反応に伴う酸化電流を検知することにより、カーボンの劣化状態を検知することができる。検知した劣化状態に基づいて、実施の形態１と同様に、下限電圧設定値マップを更新することができる。
【０１１３】
なお、実施の形態１の第１の手法における（i）劣化特性取得ステップでは、図６に示した計測系においてＣＯ２発生量を計測することにより初期の劣化特性を取得した。しかしながら、本発明はこれに限られるものではない。（i）劣化特性取得ステップにおいて、ＣＯ２発生量の計測に代えて、実施の形態２で述べたカーボンの反応熱の計測や、実施の形態３で述べたカーボン酸化電流の計測を行うことにより、初期の劣化特性を取得してもよい。得られた劣化特性を用いて、実施の形態１で行ったのと同様に、複合劣化特性の作成および下限電圧設定値マップの作成を行えばよい。
【０１１４】
実施の形態４．
以下、本発明の実施の形態４を説明する。実施の形態１乃至３では、カーボンの劣化の進行を考慮に入れて、燃料電池の下限電圧が設定されている。これに対し、実施の形態４では、カーボンの劣化の進行を考慮に入れて、燃料電池の上限電圧が設定される。
【０１１５】
実施の形態４にかかる上限電圧の設定方法並びにこれを利用した燃料電池システムは、実施の形態１にかかる下限電圧の設定方法並びにこれを利用した燃料電池システムとの間で、設定する電圧制御値の内容を上限電圧と下限電圧とで交換した関係にある。このため、実施の形態４は、実施の形態１で述べた内容、思想の多くを流用することができる。以下の説明では、主に、実施の形態１に対する相違点を説明し、実施の形態１と重複する点は説明を省略する。
【０１１６】
実施の形態４にかかる燃料電池システムは、実施の形態１で述べた燃料電池システムと同じハードウェア構成とする。このため、システムのハードウェア構成の説明は省略する。
【０１１７】
［実施の形態４における上限電圧の設定手法］
以下、実施の形態４にかかる上限電圧の設定手法を説明する。実施の形態４で用いられる手法は、大きく分けて次の２つである。
・第１の手法は、燃料電池システムの設計段階で、電位変動に伴うカーボン劣化を考慮に入れた上限電圧設定値マップの作成を行うというものである。
・第２の手法は、上記第１の手法で設定した初期の上限電圧設定値マップで想定されているカーボン劣化状態と、システムの運転時間の経過に応じて生ずる現実のカーボン劣化状態との間の乖離を、上限電圧の設定値へと反映させるというものである。
実施の形態４にかかる上記第１、２の手法は、ともに、下限電圧と上限電圧という相違を除き、実施の形態１の下限電圧の設定手法における第１、２の手法とほぼ同様の内容である。従って、以下の説明では、実施の形態１と異なる点を中心に説明を行う。
【０１１８】
＜第１の手法：初期の上限電圧設定値マップの作成＞
初期の上限電圧設定値マップの作成は、以下の（i）〜（iii）のステップにより行われる。
（i）先ず、走行距離（電位変動回数）と担体劣化量との相関関係を示す曲線（劣化特性）を、複数の上限電位で計測する。複数の上限電位は、例えば、ＯＣＶから０．１Ｖ減じた電位、ＯＣＶから０．２Ｖ減じた電位、ＯＣＶから０．３Ｖ減じた電位とすることができる。サンプルや計測系は、実施の形態１と同様に、図６の計測系（但し上限電位を変更可能にしておく）およびサンプル６０を用いることができる。印加する電圧パターンは、例えば図１５に示すような模擬波形や、三角波形とすればよい。下限電位をＶＭＩＮに一定として上限電位を相違させる点以外は、実施の形態１と同じである。
【０１１９】
（ii）上記の（i）で得られた、上限電位の異なる複数の劣化特性を用いて、実施の形態１で行ったのと同様に、複合劣化特性を作成する。
（iii）複合劣化特性に従って、実施の形態１と同様に、上限電圧設定値マップを作成する。
【０１２０】
上記の（i）〜（iii）のステップで作成された上限電圧設定値マップが、記憶装置５２に記憶させられる。ＣＰＵ５０は、実施の形態１で下限電圧の制御を行ったときと同様に、上限電圧設定値マップに従って燃料電池スタック１０の電圧制御を行う。この制御が、実施の形態１と同様に、システム通常運転時や間欠運転時に行われる。特に、間欠運転時を含め燃料電池システムの電圧がＯＣＶ近傍まで高くなるような高電位運転条件（言い換えれば、燃料電池を開回路状態すなわちOpen Circuit状態に置くような運転条件）のもとでは、通常、ＯＣ回避運転と呼ばれる劣化防止用の制御が実行される。このＯＣ回避運転では、ＯＣＶから例えば０．１Ｖ程度電圧が低下するように、若干の電流を燃料電池から取り出すなどの運転が行われる。このようなＯＣ回避運転時における目標電圧を設定する際に、実施の形態４の上限電位設定値マップに従う上限電位の設定を活用することができる。
【０１２１】
＜第２の手法：上限電圧設定値マップの補正＞
続いて、実施の形態４にかかる第２の手法を説明する。実施の形態４では、実施の形態１と同様の理由により、この第２の手法によってシステム運転開始後に定期的に上限電圧設定値マップが更新される。
【０１２２】
図１６は、実施の形態１にかかる上限電圧設定値マップの更新のフローチャートを示す。このフローチャートの概略は、以下のようなものである。
〔ステップＳ４００〜Ｓ４０６〕  実施の形態１のステップＳ１００〜Ｓ１０６と同様に、実施の形態４が備えるＣＯ２分析機能を利用して、現在の走行距離における、１周期の電位変動あたりに発生するＣＯ２量が実測される。
〔ステップＳ４０８〕  実施の形態１のステップＳ１０８と同様に、実測データを用いて、実測予想劣化特性が作成される。
〔ステップＳ４１０〕  実測予想劣化特性に従って、上限電圧設定値マップが補正される。このステップでは、実施の形態１における具体的処理のステップＳ１１０と同様に、初期の上限電圧設定値マップと実測予想劣化特性との乖離具合に応じて、上限電圧の切換時期が延長あるいは短縮される。
【０１２３】
以上説明したように、実施の形態４によれば、電位変動に伴うカーボンの劣化の進行を考慮に入れて、燃料電池スタック１０の上限電圧を設定することができる。
【０１２４】
なお、実施の形態１で述べた各種変形例を、実施の形態４に適用してもよい。また、実施の形態４でも、実施の形態２および３のように、カーボンの酸化電流やカーボンの劣化反応熱を用いて、劣化状態を検知してもよい。
【０１２５】
実施の形態５．
なお、実施の形態１と実施の形態４とを組み合わせてもよい。つまり、初期の電圧設定値マップを作成する際に、上限電位と下限電位とをともに相違させながら、劣化特性を計測してもよい。この場合、劣化特性のそれぞれについて、上限電位および下限電位の情報が備えられる。従って、複数の劣化特性を用いて複合劣化特性を作成することにより、この複合劣化特性に従って燃料電池スタック１０の予定動作区間に対して上限電位と下限電位の組をそれぞれ割り振っていくことができる。
【図面の簡単な説明】
【０１２６】
【図１】本発明の実施の形態１の燃料電池システムの構成図である。
【図２】実施の形態１の間欠運転を説明するための図である。
【図３】実施の形態１の間欠運転における下限電圧と燃費の関係を示す図である。
【図４】実施の形態１において取得された複数の劣化特性を示す図である。
【図５】実施の形態１における複合劣化特性の作成手法を説明するための図である。
【図６】劣化特性の取得のための計測系を模式的に示す図である。
【図７】サンプル６０に印加する電圧パターンを示す図である。
【図８】図６の計測形におけるＣＯ２量を記録した場合に得られる情報を模式的に示す図である。
【図９】実施の形態１において実行されるルーチンのフローチャートである。
【図１０】実施の形態１における、下限電圧設定値マップの補正手法を説明するための図である。
【図１１】本発明の実施の形態２の燃料電池システムの構成図である。
【図１２】実施の形態２において実行されるルーチンのフローチャートである。
【図１３】本発明の実施の形態３の燃料電池システムの構成図である。
【図１４】実施の形態３において実行されるルーチンのフローチャートである。
【図１５】実施の形態４において劣化特性を取得するために用いる電圧パターンの一例を示す図である。
【図１６】実施の形態４において実行されるルーチンのフローチャートである。
【符号の説明】
【０１２７】
１０  燃料電池スタック
２０  水素タンク
２２  管路
２４  バルブ
２６  管路
３０  エアコンプレッサ
３２  管路
３４  バルブ
３６  管路
３８  管路
４０  タンク
４２  分析計
４８  セル電圧モニタ
５０  ＣＰＵ
５２  記憶装置
６０  サンプル
６２  電源
１４０  温度計
２４０  電流センサ
【図１】
2010021072.tif 000003
【図２】
2010021072.tif 000004
【図３】
2010021072.tif 000005
【図４】
2010021072.tif 000006
【図５】
2010021072.tif 000007
【図６】
2010021072.tif 000008
【図７】
2010021072.tif 000009
【図８】
2010021072.tif 000010
【図９】
2010021072.tif 000011
【図１０】
2010021072.tif 000012
【図１１】
2010021072.tif 000013
【図１２】
2010021072.tif 000014
【図１３】
2010021072.tif 000015
【図１４】
2010021072.tif 000016
【図１５】
2010021072.tif 000017
【図１６】
2010021072.tif 000018